(57)【要約】【課題】  単位時間内におけるデータの書込み回数とデータの読出し回数が異なる場合でも表示品位を損なうことなく画像を表示することを可能とする。【解決手段】  画像データを第１ＲＡＭ３１と第２ＲＡＭ３２に交互に書込む。画像データを第１ＲＡＭ３１や第２ＲＡＭ３２から読出す際に、第１ＲＡＭ３１に画像データが書き込まれている期間においては、第２ＲＡＭ３２に書き込まれた画像データを読出し、第２ＲＡＭ３２に画像データが書き込まれている期間においては、第１ＲＡＭ３１に書き込まれた画像データを読出す。【選択図】      図４
2005196032.tif 000002
【特許請求の範囲】
【請求項１】
順次入力される画像データを受取る入力手段と、
前記入力手段に入力された画像データの第１記憶部への書込みと、前記入力手段に入力
された画像データの第２記憶部への書込みを交互に行う書込み手段と、
前記書込み手段により前記第１記憶部に書き込まれた画像データの読出しと、前記書込
み手段により前記第２記憶部に書き込まれた画像データの読出しを交互に行う読出し手段
と、
前記読出し手段により読出された画像データが示す画像の表示を行う表示手段と
を有し、
前記読出し手段は、前記書込み手段により前記第１記憶部への画像データの書込みが行
われている期間においては、前記第２記憶部に書き込まれた画像データを読出し、前記書
込み手段により前記第２記憶部への画像データの書込みが行われている期間においては、
前記第１記憶部に書き込まれた画像データを読出すこと
を特徴とする電気光学装置。
【請求項２】
前記書き込み手段が書き込みをおこなう周期と、前記読出し手段が読み出しをおこなう
周期とが異なることを特徴とする請求項１に記載の電気光学装置。
【請求項３】
供給される画像データが示す画像の表示を行う第１表示手段と、供給される画像データ
が示す画像の表示を行う第２表示手段と、
第１画像データを生成する画像データ生成手段と、
入力される第２画像データを受取る入力手段と、
前記入力手段に入力された第２画像データと前記画像データ生成手段により生成された
第１画像データの第１記憶部への書込みと、前記入力手段に入力された第２画像データの
第２記憶部への書込みを交互に行う書込み手段と、
前記書込み手段により前記第１記憶部に書き込まれた第１画像データと第２画像データ
の読出しと、前記書込み手段により前記第２記憶部に書き込まれた第２画像データの読出
しを交互に行う読出し手段と、
前記読出し手段により読出された前記第１画像データを前記第１表示手段へ供給し、前
記読出し手段により読出された前記第２画像データを前記第２表示手段へ供給する供給手
段と
を有し、
前記読出し手段は、前記書込み手段により前記第１記憶部への前記第１画像データと前
記第２画像データの書込みが行われている期間においては、前記第２記憶部に書き込まれ
た前記第２画像データを読出し、前記書込み手段により前記第２記憶部への前記第２画像
データの書込みが行われている期間においては、前記第１記憶部に書き込まれた前記第１
画像データと前記第２画像データを読出すこと
を特徴とする電気光学装置。
【請求項４】
前記書き込み手段が書き込みをおこなう周期と、前記読出し手段が読み出しをおこなう
周期とが異なることを特徴とする請求項３に記載の電気光学装置。
【請求項５】
前記第１記憶部の記憶容量と前記第２記憶部の記憶容量とが異なることを特徴とする請
求項３または請求項４に記載の電気光学装置。
【請求項６】
順次入力される画像データを受取る入力手段と、
前記入力手段に入力された画像データの第１記憶部への書込みと、前記入力手段に入力
された画像データの第２記憶部への書込みを交互に行う書込み手段と、
前記書込み手段により前記第１記憶部に書き込まれた画像データの読出しと、前記書込
み手段により前記第２記憶部に書き込まれた画像データの読出しを交互に行う読出し手段
と、
前記読出し手段により読出された画像データが示す画像の表示を行う表示手段と
を有し、
前記読出し手段は、前記書込み手段により前記第１記憶部への画像データの書込みが行
われている期間においては、前記第２記憶部に書き込まれた画像データを読出し、前記書
込み手段により前記第２記憶部への画像データの書込みが行われている期間においては、
前記第１記憶部に書き込まれた画像データを読出すこと
を特徴とする表示制御回路。
【請求項７】
順次入力される画像データを受取る入力過程と、
前記入力過程にて受取った画像データの第１記憶部への書込みと、前記入力過程にて受
取った画像データの第２記憶部への書込みを交互に行う一方、
前記第１記憶部に書き込まれた画像データの読出しと、前記第２記憶部に書き込まれた
画像データの読出しを交互に行う記憶部制御過程と、
前記記憶部制御過程にて読出された画像データが示す画像の表示を行う表示過程と、
を有し、
前記記憶部制御過程は、前記第１記憶部への画像データの書込みが行われている期間に
おいては、前記第２記憶部に書き込まれた画像データを読出し、前記第２記憶部への画像
データの書込みが行われている期間においては、前記第１記憶部に書き込まれた画像デー
タを読出すこと
を特徴とする電気光学装置の制御方法。
【請求項８】
順次入力される画像データを受取る入力手段と、
前記入力手段に入力された画像データの第１記憶部への書込みと、前記入力手段に入力
された画像データの第２記憶部への書込みを交互に行う書込み手段と、
前記書込み手段により前記第１記憶部に書き込まれた画像データの読出しと、前記書込
み手段により前記第２記憶部に書き込まれた画像データの読出しを交互に行う読出し手段
と、
前記読出し手段により読出された画像データが示す画像の表示を行う表示手段と
を有し、
前記読出し手段は、前記書込み手段により前記第１記憶部への画像データの書込みが行
われている期間においては、前記第２記憶部に書き込まれた画像データを読出し、
前記書込み手段により前記第２記憶部への画像データの書込みが行われている期間にお
いては、前記第１記憶部に書き込まれた画像データを読出すこと
を特徴とする電子機器。
【発明の詳細な説明】
【技術分野】
【０００１】
本発明は、二つの画面を表示することが可能な表示装置に関する。
【背景技術】
【０００２】
デジタルカメラや携帯電話機などの電子機器は、機器の設定を行うためのメニューや、
カメラで撮影した画像を表示するために、例えば、液晶などの電気光学物質を用いた表示
ユニットを備えている。このような表示ユニットは、画像を表示するための表示用メモリ
を備えており、この表示用メモリに書き込まれた画像データを読出して画像の表示を行う
が、データの書込み速度と読出し速度が異なると、データの書込みが終了する前にデータ
を読出してしまい、例えば、画面の上半分と下半分とで異なるといった不連続な画像を表
示してしまうことがある。
【０００３】
そこで、このように表示品位が損なわれるのを解決する技術として、特許文献１に記載
されている技術が提案されている。特許文献１に記載されている技術は、データの書込み
開始タイミングを読出し開始タイミングよりも先行させ、データの読出しに先行させて、
データの書込みを終了させる。これにより、データの書込みをデータの読出しに先行して
終了させることが可能となり、１フレーム分のデータの書込み周波数と読出し周波数が異
なる場合でも、データ読出しが書込みを追い越すことがなくなる。
【特許文献１】特開２００２−２１５０８１号公報
【発明の開示】
【発明が解決しようとする課題】
【０００４】
近年の携帯電話機はカメラ機能を有するものが主流となっており、筐体に配設されたカ
メラユニットで得た画像を表示ユニットに表示させ、画像を確認しながら静止画を撮影す
ることが可能となっている。通常、携帯電話機に用いられるカメラユニットからの画像の
転送レートは１５フレーム／秒程度となっており、表示用メモリにおいても、１秒間に１
５フレーム分程の画像データが書き込まれる。しかしながら、表示用メモリからの画像デ
ータの読出しは、通常のメニュー表示等が行われている際、フレームが切り替わったこと
を人間に認識させないようにするために６０フレーム／秒となっている。このため、カメ
ラユニットからの画像を表示ユニットに表示させる際には、データの書込みが終了する前
にデータを読出してしまい、不連続な画像を表示してしまうという問題が生じてしまう。
【０００５】
特許文献１には、データの読出しが書込みを追い越さないようにする技術が記載されて
いるが、この技術は、例えば、データが１５フレーム／秒で書き込まれた場合には、１５
フレーム／秒で読出すことを前提としている。このため上述したような、１５フレーム／
秒で書き込まれたデータを６０フレーム／秒で読出した場合に不連続な画像を表示してし
まうということを防ぐことができない。
【０００６】
本発明は、このような事情に鑑みてなされたものであり、単位時間内におけるデータの
書込み回数とデータの読出し回数が異なる場合でも表示品位を損なうことなく画像を表示
することを可能とする技術を提供することを目的とする。
【課題を解決するための手段】
【０００７】
上記課題を解決するために、本発明は、順次入力される画像データを受取る入力手段と
、前記入力手段に入力された画像データの第１記憶部への書込みと、前記入力手段に入力
された画像データの第２記憶部への書込みを交互に行う書込み手段と、前記書込み手段に
より前記第１記憶部に書き込まれた画像データの読出しと、前記書込み手段により前記第
２記憶部に書き込まれた画像データの読出しを交互に行う読出し手段と、前記読出し手段
により読出された画像データが示す画像の表示を行う表示手段とを有し、前記読出し手段
は、前記書込み手段により前記第１記憶部への画像データの書込みが行われている期間に
おいては、前記第２記憶部に書き込まれた画像データを読出し、前記書込み手段により前
記第２記憶部への画像データの書込みが行われている期間においては、前記第１記憶部に
書き込まれた画像データを読出すことを特徴とする電気光学装置を提供する。
本発明によれば、第１記憶部に画像データが書き込まれている期間においては、第２記
憶部に書き込まれている画像データが読出され、第２記憶部に画像データが書き込まれて
いる期間においては、第１記憶部に書き込まれている画像データが読出される。表示に用
いられる画像データは、画像データの書込みが行われている記憶部とは異なる記憶部から
読出されるため、不連続な画像を表示することがない。
【０００８】
この電気光学装置において、前記書込み手段が書込みを行う周期と、前記読出し手段が
読出しを行う周期とが異なる構成としてもよい。
【０００９】
また、本発明は、供給される画像データが示す画像の表示を行う第１表示手段と、供給
される画像データが示す画像の表示を行う第２表示手段と、第１画像データを生成する画
像データ生成手段と、入力される第２画像データを受取る入力手段と、前記入力手段に入
力された第２画像データと前記画像データ生成手段により生成された第１画像データの第
１記憶部への書込みと、前記入力手段に入力された第２画像データの第２記憶部への書込
みを交互に行う書込み手段と、前記書込み手段により前記第１記憶部に書き込まれた第１
画像データと第２画像データの読出しと、前記書込み手段により前記第２記憶部に書き込
まれた第２画像データの読出しを交互に行う読出し手段と、前記読出し手段により読出さ
れた前記第１画像データを前記第１表示手段へ供給し、前記読出し手段により読出された
前記第２画像データを前記第２表示手段へ供給する供給手段とを有し、前記読出し手段は
、前記書込み手段により前記第１記憶部への前記第１画像データと前記第２画像データの
書込みが行われている期間においては、前記第２記憶部に書き込まれた前記第２画像デー
タを読出し、前記書込み手段により前記第２記憶部への前記第２画像データの書込みが行
われている期間においては、前記第１記憶部に書き込まれた前記第１画像データと前記第
２画像データを読出すことを特徴とする電気光学装置を提供する。
この構成によれば、第１の表示パネルに第１の画像を表示させつつ、第２の表示パネル
に第２の画像を表示させることができると共に、不連続な画像を表示することがない。
【００１０】
この電気光学装置において、前記書込み手段が書込みを行う周期と、前記読出し手段が
読出しを行う周期とが異なる構成としてもよい。また、この電気光学装置において、前記
第１記憶部の記憶容量と前記第２記憶部の記憶容量とが異なる構成としてもよい。
【００１１】
また本発明は、順次入力される画像データを受取る入力手段と、前記入力手段に入力さ
れた画像データの第１記憶部への書込みと、前記入力手段に入力された画像データの第２
記憶部への書込みを交互に行う書込み手段と、前記書込み手段により前記第１記憶部に書
き込まれた画像データの読出しと、前記書込み手段により前記第２記憶部に書き込まれた
画像データの読出しを交互に行う読出し手段と、前記読出し手段により読出された画像デ
ータが示す画像の表示を行う表示手段とを有し、前記読出し手段は、前記書込み手段によ
り前記第１記憶部への画像データの書込みが行われている期間においては、前記第２記憶
部に書き込まれた画像データを読出し、前記書込み手段により前記第２記憶部への画像デ
ータの書込みが行われている期間においては、前記第１記憶部に書き込まれた画像データ
を読出すことを特徴とする表示制御回路を提供する。
本発明によれば、第１記憶部に画像データが書き込まれている期間においては、第２記
憶部に書き込まれている画像データが読出され、第２記憶部に画像データが書き込まれて
いる期間においては、第１記憶部に書き込まれている画像データが読出される。表示に用
いられる画像データは、画像データの書込みが行われている記憶部とは異なる記憶部から
読出される。このため、この表示制御回路を用いた装置においては、不連続な画像が表示
されることがない。
【００１２】
また本発明は、順次入力される画像データを受取る入力過程と、前記入力過程にて受取
った画像データの第１記憶部への書込みと、前記入力過程にて受取った画像データの第２
記憶部への書込みを交互に行う一方、前記第１記憶部に書き込まれた画像データの読出し
と、前記第２記憶部に書き込まれた画像データの読出しを交互に行う記憶部制御過程と、
前記記憶部制御過程にて読出された画像データが示す画像の表示を行う表示過程と、を有
し、前記記憶部制御過程は、前記第１記憶部への画像データの書込みが行われている期間
においては、前記第２記憶部に書き込まれた画像データを読出し、前記第２記憶部への画
像データの書込みが行われている期間においては、前記第１記憶部に書き込まれた画像デ
ータを読出すことを特徴とする電気光学装置の制御方法を提供する。この制御方法によっ
ても、表示に用いられる画像データは、画像データの書込みが行われている記憶部とは異
なる記憶部から読出されるため、不連続な画像を表示することがない。
【００１３】
また、本発明は、順次入力される画像データを受取る入力手段と、前記入力手段に入力
された画像データの第１記憶部への書込みと、前記入力手段に入力された画像データの第
２記憶部への書込みを交互に行う書込み手段と、前記書込み手段により前記第１記憶部に
書き込まれた画像データの読出しと、前記書込み手段により前記第２記憶部に書き込まれ
た画像データの読出しを交互に行う読出し手段と、前記読出し手段により読出された画像
データが示す画像の表示を行う表示手段とを有し、前記読出し手段は、前記書込み手段に
より前記第１記憶部への画像データの書込みが行われている期間においては、前記第２記
憶部に書き込まれた画像データを読出し、前記書込み手段により前記第２記憶部への画像
データの書込みが行われている期間においては、前記第１記憶部に書き込まれた画像デー
タを読出すことを特徴とする電子機器を提供する。この電子機器においても、表示に用い
られる画像データは、画像データの書込みが行われている記憶部とは異なる記憶部から読
出されるため、不連続な画像を表示することがない。
【発明を実施するための最良の形態】
【００１４】
以下、図面を参照しながら本発明の実施の形態を説明する。なお、以下に示す各図面に
おいては、説明の便宜のために各構成要素の寸法や比率を実際のものとは異ならせてある
。
【００１５】
＜Ａ：第１実施形態＞
＜Ａ−１：実施形態の構成＞
まず、本発明の第１実施形態に係わる電子機器の構成を説明する。本実施形態において
は、画像を表示するための手段たる電気光学パネルとして、電気光学物質に液晶を用いた
液晶表示パネルを採用した表示ユニットを例示する。
【００１６】
図１、図２（ａ）および図２（ｂ）は、本実施形態に係わる電子機器の一例たる折畳み
型の携帯電話機５００の構成を示す斜視図である。これらの図に示すように、この携帯電
話機５００は、第１の筐体５１０と第２の筐体５２０とを有する。第１の筐体５１０と第
２の筐体５２０とは、各々の縁端部近傍においてヒンジ５３０を介して連結されている。
この携帯電話機５００の利用者は、図１に示すように両筐体を開いた状態としたうえで、
当該携帯電話機５００を用いた音声通話やデータ通信を行なう。また、携帯電話機５００
の利用者は、携帯電話機５００を持ち運ぶ際には、図２（ａ）や図２（ｂ）に示すように
、ヒンジ５３０を軸として第１の筐体５１０を第２の筐体５２０側に（あるいは第２の筐
体５２０を第１の筐体側５１０に）折り畳むことができる。本明細書においては、図１に
示したように第１の筐体５１０と第２の筐体５２０との仰角が所定の角度をなすように開
かれた状態を「開状態」と表記する一方、図２に示したように第１の筐体５１０と第２の
筐体５２０とが相互に対向させられた状態を「閉状態」と表記する。
【００１７】
図１に示すように、第２の筐体５２０には、利用者による操作を受け付ける複数の操作
キー５２１や音声を入力するためのマイクロホン５２２が配設されるとともに、当該携帯
電話機５００の動作を制御するためのＣＰＵ（Central Processing Unit）やＣＰＵの作
業エリアとして使用されるメモリといった各種の電子部品（図示略）、静止画や動画の撮
影を行うためのカメラユニット５４０やカメラボタン５５０が収容されている。携帯電話
機５００においては、利用者が操作キー５２１を操作することにより、静止画や動画の撮
影機能がオンとなる。
【００１８】
一方、第１の筐体５１０には、音声を出力するスピーカ５１１や無線基地局との間で無
線通信を行なうためのアンテナ５１２が配設されるほか、表示ユニット１００が収容され
ている。この表示ユニット１００は、図３に示すように、表示面が相互に反対を向くよう
に配置された第１液晶表示パネル１０１と第２液晶表示パネル１０２とを有する。このう
ち第１液晶表示パネル１０１の表示面は、図１に示すように、第１の筐体５１０のうち閉
状態において第２の筐体５２０と対向する面に設けられた開口部５１５を介して外部に露
出している。これに対し、第２液晶表示パネル１０２の表示面は、図２（ａ）に示すよう
に、第１の筐体５１０のうち開口部５１５に背後する面に設けられた開口部５１６を介し
て外部に露出している。この構成のもと、携帯電話機５００の利用者は、開状態において
第１液晶表示パネル１０１による表示画像を視認できるだけでなく、閉状態にあっても第
２液晶表示パネル１０２による表示画像を視認することができる。
【００１９】
次に、図３を参照して、本実施形態に係る表示ユニット１００の構成を説明する。この
表示ユニット１００は、縦ｍ行×横ｎ列の画素を有する第１液晶表示パネル１０１と、縦
ｍ´行×横ｎ´列の画素を有する第２液晶表示パネル１０２のほか、両液晶表示パネルの
間に配置されたバックライトユニット３００を備えている。すなわち、本実施形態に係る
表示ユニット１００は、第１液晶表示パネル１０１、バックライトユニット３００、およ
び第２液晶表示パネル１０２が、この順に積み重ねられた構成となっている。なお、以下
では図３に示すように、第１液晶表示パネル１０１および第２液晶表示パネル１０２の表
示面と平行な面内において相互に直交する２つの軸を「ｘ軸」および「ｙ軸」と表記する
。
【００２０】
図３に示すバックライトユニット３００は、第１液晶表示パネル１０１側と第２液晶表
示パネル１０２側とに光を出射する照明装置であり、同図に示すように光源３０１と導光
板３０２とを有する。このうち光源３０１は、導光板３０２の側端面と対向するように配
置されてこの側端面に光を照射する。光源３０１としては、例えばＬＥＤ（Light Emitti
ng Diode）や冷陰極管などを利用することができる。
【００２１】
一方、導光板３０２は、側端面に入射した光源３０１からの光を第１液晶表示パネル１
０１側および第２液晶表示パネル１０２側（光学素子４００側）に導くための板状部材で
ある。この導光板３０２のうち第１液晶表示パネル１０１と対向する面には拡散板３０３
が貼り付けられている。この拡散板３０３は、導光板３０２からの出射光を適度に散乱さ
せて輝度ムラを防止するための板状部材であり、例えばビーズが分散されたプラスチック
フィルムである。さらに、導光板３０２の両面には、ｘ軸方向への光の拡散を抑えるため
のプリズムシート３０４および３０６と、ｙ軸方向への光の拡散を抑えるためのプリズム
シート３０５および３０７とがそれぞれ設けられている。
【００２２】
図３に示すように、第１液晶表示パネル１０１および第２液晶表示パネル１０２は、相
互に対向する観察側基板１１１と背面側基板１２１とが枠状のシール材（図示略）を介し
て貼り合わされるとともに、両基板とシール材とによって囲まれた領域にＴＮ（Twisted 
Nematic）型やＳＴＮ（Super Twisted Nematic）型などの液晶が封止された構成となって
いる。なお、以下では図３に示すように、第１液晶表示パネル１０１および第２液晶表示
パネル１０２のいずれかに着目したときに、当該液晶表示パネルの液晶からみてバックラ
イトユニット３００が位置する側を「背面側」と表記する一方、これとは反対側、すなわ
ち液晶表示パネルによる表示画像を視認する観察者が位置する側を「観察側」と表記する
。本実施形態における第１液晶表示パネル１０１および第２液晶表示パネル１０２はいず
れも、外部からの入射光を観察側に反射させて表示を行なう反射型表示と、背面側からの
入射光を観察側に透過させて表示を行なう透過型表示を行なうことができる、いわゆる半
透過反射型の液晶表示パネルである。
【００２３】
次に、図４を参照して、表示ユニット１００に係わるハードウェアの構成について説明
する。カメラユニット５４０は、ＣＣＤ（Charge Coupled Device）などの撮像素子やレ
ンズを具備しており、レンズにより結像された光像を撮像素子により電気信号に変換し、
画像データを生成する。このカメラユニット５４０は、１秒間に１５フレーム分の画像デ
ータを制御部１０へ出力する。
【００２４】
制御部１０は、各種信号を出力して、各スイッチと、第１ＲＡＭ３１および第２ＲＡＭ
３２を制御し、これらのＲＡＭへの画像データの書込みと、これらのＲＡＭからの画像デ
ータの読出しとを行う。
【００２５】
ここで、制御部１０が出力する各種信号について説明する。
スイッチ制御信号Ｓ１は、スイッチＳＷ０１，ＳＷ０２，ＳＷ１１，ＳＷ１２、および
スイッチＳＷ２１を制御するための信号である。制御部１０がスイッチ制御信号Ｓ１をＨ
レベルとすると、図４において実線で示したようにスイッチＳＷ１２は、ｊ−ｋ間を接続
する。また、スイッチＳＷ０１とスイッチＳＷ０２およびスイッチＳＷ１１は開状態とな
り、スイッチＳＷ２１は閉状態となる。また、制御部１０がスイッチ制御信号Ｓ１をＬレ
ベルとすると、スイッチＳＷ１２はｉ−ｋ間を接続する。また、スイッチＳＷ０１とスイ
ッチＳＷ０２、およびスイッチＳＷ１１は閉状態となり、スイッチＳＷ２１は開状態とな
る。
【００２６】
スイッチ制御信号Ｓ２は、スイッチＳＷ３１およびスイッチＳＷ３２の制御を行うため
の信号である。制御部１０がスイッチ制御信号Ｓ２をＨレベルとすると、図４において実
線で示されるようにスイッチＳＷ３１はａ−ｃ間を接続し、スイッチＳＷ３２はｅ−ｆ間
を接続する。また、制御部１０がスイッチ制御信号Ｓ２をＬレベルとすると、スイッチＳ
Ｗ３１はｂ−ｃ間を接続し、スイッチＳＷ３２はｄ−ｆ間を接続する。
【００２７】
次に、第１ＲＡＭ３１と第２ＲＡＭ３２への画像データの書込みに用いられる信号と、
第１ＲＡＭ３１と第２ＲＡＭ３２からの画像データの読出しに用いられる信号について説
明する。
書込み制御信号ＷＥ１は、第１ＲＡＭ３１への画像データの書込みを可能とするための
信号であり、書込み制御信号ＷＥ２は、第２ＲＡＭ３２への画像データの書込みを可能と
するための信号である。書込みクロックＣＫＷは、画像データを第１ＲＡＭ３１や第２Ｒ
ＡＭ３２へ書き込む際の基準となるクロック信号であり、書込みアドレスＡＤＤＷは、画
像データを記憶させる記憶領域を特定する信号である。
読出し制御信号ＲＥ１は、第１ＲＡＭ３１からの画像データの読出しを可能とするため
の信号であり、読出し制御信号ＲＥ２は、第２ＲＡＭ３２からの画像データの読出しを可
能とするための信号である。読出しクロックＣＫＲは、画像データを第１ＲＡＭ３１や第
２ＲＡＭ３２から読出す際の基準となるクロック信号であり、読出しアドレスＡＤＤＷは
、画像データを記憶している記憶領域を特定する信号である。
【００２８】
制御部１０は、携帯電話機５００が開状態であるか閉状態であるかを検知する。制御部
１０は、携帯電話機５００が開状態であり、且つ撮影機能がオフである場合には、書込み
制御信号、書込みクロック、書込みアドレスを出力すると共に、第１液晶表示パネル１０
１に表示させるべき画像を示す画像データＤ１を生成して出力端子Ｐ１から出力し、第２
液晶表示パネル１０２に表示させるべき画像を示す画像データＤ２を、第１画像データと
同じ周期で出力端子Ｐ３から出力する。
また、制御部１０は、携帯電話機５００が閉状態であり、且つ撮影機能がオンである場
合には、書込み制御信号、書込みクロック、書込みアドレスを出力すると共に、カメラユ
ニットから供給された画像データＤ３を出力端子Ｐ２から出力する。なお、携帯電話機５
００が閉状態である場合には、制御部１０は、出力端子Ｐ１および出力端子Ｐ３からの画
像データの出力を行わない。
【００２９】
第１ＲＡＭ（Random Access Memory）３１および第２ＲＡＭ３２は、デュアルポートＲ
ＡＭであり、画像データの記憶と読出しとを非同期で行うことができる。第１ＲＡＭ３１
および第２ＲＡＭ３２は、制御部１０から供給される書込み制御信号がＬレベルである場
合には、供給される画像データを記憶せず、書込み制御信号がＨレベルである場合には、
書込みクロックＣＫＷと書込みアドレスＡＤＤＷと共に供給される画像データを記憶する
。また、第１ＲＡＭ３１と第２ＲＡＭ３２は、入力される読出し制御信号がＬレベルであ
る場合には、記憶している画像データを出力せず、読出し制御信号がＨレベルである場合
には、読出しクロックＣＫＲと読出しアドレスＡＤＤＲとに基づいて、記憶している画像
データを出力する。
【００３０】
第１駆動回路５１は、第１液晶表示パネル１０１を駆動する回路であり、第２駆動回路
５２は、第１液晶表示パネル１０１を駆動する回路である。各々の駆動回路は、入力され
る画像データに基づいて、各駆動回路に接続された液晶表示パネルを駆動し、画像データ
が示す画像を液晶表示パネルに表示させる。
【００３１】
＜Ａ−２：電子機器の動作＞
次に、図５および図６を参照して、携帯電話機５００の動作について説明する。なお、
以下の説明においては、まず、カメラユニット５４０により得られる画像を第１液晶表示
パネル１０１および第２液晶表示パネル１０２のいずれにも表示しない場合の動作につい
て説明し、次に、カメラユニット５４０により得られる画像を第２液晶表示パネル１０２
に表示させる場合の動作について説明する。
【００３２】
＜カメラユニット５４０で得た画像を表示しない場合の動作＞
制御部１０は、撮影機能がオフであり、携帯電話機５００が開状態の場合、スイッチ制
御信号Ｓ１をＬレベルとする。スイッチ制御信号Ｓ１がＬレベルになると、スイッチＳＷ
０１とＳＷ０２が閉状態となる。これにより、出力端子Ｐ１と第１ＲＡＭ３１とが接続さ
れ、第１ＲＡＭ３１と第１駆動回路５１とが接続された状態となる。また、スイッチ制御
信号Ｓ１がＬレベルとなると、ＳＷ１１は閉状態となり、ＳＷ１２においてはｉ−ｋ間が
接続される。これにより、出力端子Ｐ３と第２ＲＡＭ３２とが接続され、第２ＲＡＭ３２
と第２駆動回路５２とが接続された状態となる。また、ＳＷ２１は、開状態となり、出力
端子Ｐ２は、第１ＲＡＭ３１および第２ＲＡＭ３２のいずれにも接続されていない状態と
なる。
【００３３】
制御部１０は、図５に示したように、まず、書込み制御信号ＷＥ１と書込み制御信号Ｗ
Ｅ２をＨレベルにして第１ＲＡＭ３１と第２ＲＡＭ３２とを書込みを可能とすると共に、
書込みアドレスカウンタをリセットする（時刻ｔ１）。次に、制御部１０は、書込みクロ
ックＣＫＷを出力すると共に、書込みアドレスカウンタの値を書込みアドレスＡＤＲＷと
して出力する。また制御部１０は、第１液晶表示パネル１０１のｍ行×ｎ列の画素に対応
した画像データＤ１のうち、書込みアドレスＡＤＲＷが示すアドレスに対応した行の画像
データを出力端子Ｐ１から出力し、第２液晶表示パネル１０２のｍ´行×ｎ´列の画素に
対応した画像データＤ２のうち、書込みアドレスＡＤＲＷが示すアドレスに対応した行の
画像データを出力端子Ｐ２から出力する（時刻ｔ１〜ｔ２）。制御部１０は、書込みクロ
ックＣＫＷを１クロック出力すると、次の書込みクロックＣＫＷの立上がりエッジで書込
みアドレスカウンタをインクリメントし（時刻ｔ２）、この書込みアドレスカウンタの値
を書込みアドレスＡＤＲＷとして、次の書込みクロックＣＫＷと画像データと共に出力す
る（時刻ｔ２〜ｔ３）。
【００３４】
ＳＷ０１が閉状態で、出力端子Ｐ１と第１ＲＡＭ３１とが接続された状態であるため、
出力端子Ｐ１から出力された画像データは、第１ＲＡＭ３１において、書込みアドレスＡ
ＤＲＷが示す記憶領域に書き込まれる。また、ＳＷ１１が閉状態で、出力端子Ｐ３と第２
ＲＡＭ３２が接続された状態であるため、出力端子Ｐ３から出力された画像データは、第
２ＲＡＭ３２において、書込みアドレスＡＤＲＷが示す記憶領域に書き込まれる。
【００３５】
制御部１０は、所定の数の書込みクロックＣＫＷを出力すると、読出し制御信号ＲＥ１
と読出し制御信号ＲＥ２とをＨレベルにして第１ＲＡＭ３１と第２ＲＡＭ３２の読出しを
可能とすると共に、読出しアドレスカウンタをリセットする（時刻ｔ１ａ）。次に、制御
部１０は、書込みクロックＣＫＷと同じ周期の読出しクロックＣＫＲを出力すると共に、
読出しアドレスカウンタの値を読出しアドレスＡＤＲＲとして出力する（時刻ｔ１ａ〜ｔ
２ａ）。制御部１０は、読出しクロックＣＫＲを１クロック出力すると、次の読出しクロ
ックＣＫＲの立上がりエッジで読出しアドレスカウンタをインクリメントし（時刻ｔ２ａ
）、この読出しアドレスカウンタの値を読出しアドレスＡＤＲＲとして、次の読出しクロ
ックＣＫＲと共に出力する（時刻ｔ２ａ〜ｔ３ａ）。この読出しクロックＣＫＲと読出し
アドレスＡＤＤＲは、第１ＲＡＭ３１と第２ＲＡＭ３２に供給される。
【００３６】
第１ＲＡＭ３１は、読出しクロックＣＫＲと読出しアドレスＡＤＤＲとが供給されると
、読出しアドレスＡＤＤＲで特定される記憶領域に格納されている画像データを出力する
。ＳＷ０２が閉状態で、第１ＲＡＭ３１と第１駆動回路５１とが接続された状態であるた
め、第１ＲＡＭ３１から出力された画像データは、第１駆動回路５１に入力される。例え
ば、時刻ｔ１ａ〜ｔ２ａの間で第１ＲＡＭ３１から出力された画像データｄ１−０は、ス
イッチＳＷ０２を介して第１駆動回路５１に入力される。
【００３７】
また、第２ＲＡＭ３２は、読出しクロックＣＫＲと読出しアドレス信号ＡＤＤＲとが入
力されると、読出しアドレスＡＤＤＲで特定される記憶領域に格納されている画像データ
を出力する。ＳＷ１２においてはｉ−ｋ間が接続されており、第２ＲＡＭ３２と第２駆動
回路５２とが接続された状態であるため、第２ＲＡＭ３２から出力された画像データは、
第２駆動回路５２に入力される。例えば、時刻ｔ１ａ〜ｔ２ａの間で第２ＲＡＭ３２から
読出されて出力された画像データｄ２−０は、スイッチＳＷ１２を介して第２駆動回路５
２に入力される。
【００３８】
第１駆動回路５１は、第１ＲＡＭ３１から供給される画像データに基づいて、この画像
データが示す画像が表示されるように第１液晶表示パネル１０１を制御する。また、第２
駆動回路５２は、第２ＲＡＭ３２から供給される画像データに基づいて、この画像データ
が示す画像が表示されるように第２液晶表示パネル１０２を制御する。なお、第１ＲＡＭ
３１および第２ＲＡＭ３２においては、図５に示したように、データの読出しは、書込み
が開始されてから時間Ｔａだけ遅れて開始される。このため、各ＲＡＭからのデータの読
出しが書込みを追い越すということがなく、表示品位が損なわれるという問題が生じない
。なお、書込みクロックＣＫＷと読出しクロックＣＫＲの周期は同じ周期であることが好
ましいが、時間Ｔａの時間が十分に取られている場合には、読出しが書込みを追い越さな
い範囲で、書込みクロックＣＫＷと読出しクロックＣＫＲの周期を異ならせるようにして
もよい。
【００３９】
＜カメラユニット５４０で得た画像を表示する場合の動作＞
携帯電話機５００が閉状態で、カメラ機能がオンとなると、制御部１０は、スイッチ制
御信号Ｓ１をＨレベルとする。スイッチ制御信号Ｓ１がＨレベルになると、スイッチＳＷ
０１とＳＷ０２が開状態となる。これにより、出力端子Ｐ１と第１ＲＡＭ３１との間は非
接続状態となり、第１ＲＡＭ３１と第１駆動回路５１との間も非接続状態となる。また、
スイッチ制御信号Ｓ１がＨレベルとなると、ＳＷ１１は開状態となり、ＳＷ１２において
はｊ−ｋ間が接続される。これにより、出力端子Ｐ３と第２ＲＡＭ３２との間が非接続状
態となり、第２駆動回路５２は、スイッチＳＷ１２を介してスイッチＳＷ３２と接続され
た状態となる。また、ＳＷ２１は、閉状態となり、出力端子Ｐ２は、ＳＷ３１に接続され
た状態となる。また、制御部１０は、スイッチ制御信号Ｓ２をＬレベルとする。スイッチ
制御信号Ｓ２がＬレベルになると、ＳＷ３１のｂ−ｃ間が接続され、スイッチＳＷ３２の
ｄ−ｆ間が接続された状態となる。
【００４０】
制御部１０は、図６に示したように、まず、書込み制御信号ＷＥ１をＨレベルにして第
１ＲＡＭ３１を書込みを可能とすると共に（時刻ｔ１０）、書込みアドレスカウンタをリ
セットする。次に、制御部１０は、携帯電話機５００が開状態の時と同様に、書込みクロ
ックＣＫＷと共に、書込みアドレスＡＤＲＷを出力する。また制御部１０は、書込みクロ
ックＣＫＷを出力する一方、書込みクロックＣＫＷと共に、カメラユニット５４０から出
力されたｍ´行×ｎ´列の画像データＤ３のうち、書込みアドレスＡＤＲＷが示すアドレ
スに対応した行の画像データを出力端子Ｐ２から出力する。
スイッチＳＷ３１においてはｂ−ｃ間が接続されているため、出力端子Ｐ２から出力さ
れた画像データは第１ＲＡＭ３１に書きこまれる。ここで、制御部１０は、カメラユニッ
ト５４０からの画像データＤ３の出力周期が１／１５［ｓｅｃ］であるため、画像データ
の出力周期を、これに合わせて１／１５［ｓｅｃ］とする。
【００４１】
制御部１０は、１フレーム分の画像データの書込みが終了すると、書込み制御信号ＷＥ
１をＬレベルとし（時刻ｔ１１）、第１ＲＡＭ３１に画像データが書き込まれるのを禁止
する。また、スイッチ制御信号Ｓ２をＨレベルとする。これにより、ＳＷ３１のａ−ｃ間
が接続され、スイッチＳＷ３２のｅ−ｆ間が接続された状態となる。次に、制御部１０は
、書込み制御信号ＷＥ２をＨレベルにして第２ＲＡＭ３２を書込みを可能とし（時刻ｔ１
２）、カメラユニット５４０から出力された画像データを、１／１５［ｓｅｃ］の周期で
出力端子Ｐ２から出力する。スイッチＳＷ３１においてはａ−ｃ間が接続されているため
、出力端子Ｐ２から出力された画像データは第２ＲＡＭ３２に書きこまれる。
【００４２】
制御部１０は、画像データを第２ＲＡＭ３２に書込む一方、読出し制御信号ＲＥ１をＨ
レベルにして第１ＲＡＭ３１の読出しを可能とし（時刻ｔ１２）、読出しアドレスカウン
タをリセットする。そして、制御部１０は、読出しアドレスカウンタの値を読出しアドレ
スＡＤＲＲとし、読出しクロックＣＫＲと共に出力する。この読出しクロックＣＫＲと読
出しアドレスＡＤＤＲは、第１ＲＡＭ３１と第２ＲＡＭ３２に供給される。ここで、制御
部１０は、画像データの読出し周期を１／６０［ｓｅｃ］とする。
第１ＲＡＭ３１は、読出しクロックＣＫＲと読出しアドレスＡＤＤＲとが供給されると
、読出しアドレスＡＤＤＲで特定される記憶領域に格納されている画像データを出力する
。画像データの読出し周期は１／６０［ｓｅｃ］であるため、図６に示したように第１Ｒ
ＡＭ３１からは、第２ＲＡＭ３２において画像データの書込みが開始されてから終了する
までの間に、記憶している画像データが４回出力される。なお、第２ＲＡＭ３２において
は、読出し制御信号ＲＥ２がＬレベルとなっているため、画像データの出力は行われない
。第１ＲＡＭ３１から出力された画像データは、スイッチＳＷ３２のｅ−ｆ間およびスイ
ッチＳＷ１２のｊ−ｋ間を介して、第２駆動回路５２に入力される。第２駆動回路５２は
、この供給された画像データに基づいて、この画像データが示す画像が表示されるように
第２液晶表示パネル１０２を制御する。
【００４３】
制御部１０は、第２ＲＡＭ３２への１フレーム分の画像データの書込みが終了すると、
書込み制御信号ＷＥ２をＬレベルとし（時刻ｔ１３）、第２ＲＡＭ３２に画像データが書
き込まれるのを禁止する。また、制御部１０は、読出し制御信号ＲＥ１をＬレベルとし、
第１ＲＡＭ３１から画像データが出力されるのを禁止する。また、制御部１０は、スイッ
チ制御信号Ｓ２をＬレベルとする。これにより、ＳＷ３１のｂ−ｃ間が再度接続され、ス
イッチＳＷ３２のｄ−ｆ間が再度接続された状態となる。
【００４４】
次に、制御部１０は、書込み制御信号ＷＥ１をＨレベルにして第１ＲＡＭ３１を書込み
を可能とし（時刻ｔ１４）、カメラユニット５４０から出力された画像データを、１／１
５［ｓｅｃ］の周期で出力端子Ｐ２から出力する。スイッチＳＷ３１においてはｂ−ｃ間
が接続されているため、出力端子Ｐ２から出力された画像データは第１ＲＡＭ３１に書き
こまれる。
【００４５】
制御部１０は、画像データを第１ＲＡＭ３１に書込む一方、読出し制御信号ＲＥ２をＨ
レベルにして第２ＲＡＭ３２の読出しを可能とし（時刻ｔ１４）、読出しアドレスカウン
タをリセットする。そして、制御部１０は、読出しアドレスカウンタの値を読出しアドレ
スＡＤＲＲとし、読出しクロックＣＫＲと共に出力する。この読出しクロックＣＫＲと読
出しアドレスＡＤＤＲは、第１ＲＡＭ３１と第２ＲＡＭ３２とに供給される。
第２ＲＡＭ３２は、読出しクロックＣＫＲと読出しアドレスＡＤＤＲとが供給されると
、読出しアドレスＡＤＤＲで特定される記憶領域に格納されている画像データを出力する
。画像データの読出し周期は１／６０［ｓｅｃ］であるため、第１ＲＡＭ３１において画
像データの書込みが開始されてから終了するまでの間に、図６に示したように、第２ＲＡ
Ｍ３２からは、記憶している画像データが４回出力される。第２ＲＡＭ３２から出力され
た画像データは、スイッチＳＷ３２のｄ−ｆ間およびスイッチＳＷ１２のｊ−ｋ間を介し
て、第２駆動回路５２に入力される。第２駆動回路５２は、この供給された画像データに
基づいて、この画像データが示す画像が表示されるように第２液晶表示パネル１０２を制
御する。なお、第１ＲＡＭ３１においては、読出し制御信号ＲＥ１がＬレベルとなってい
るため、画像データの出力は行われない。
以下、制御部１０は、上述した動作を繰り返し、画像データの書込み先と、画像データ
の読出し元を交互に切替える。
【００４６】
以上説明したように、画像データを第１ＲＡＭ３１または第２ＲＡＭ３２へ書き込む際
の書込み周期は、カメラユニット５４０からの画像データの出力周期に応じて、画像デー
タの読出しの周期より遅くなっているが、画像データをＲＡＭに書き込んでいる最中には
、もう一方のＲＡＭに書き込まれた画像データを読出して、画像表示が行われる。このた
め、画像データの書込み中に画像データの読出しが行われることがなく、画像の表示品位
が損なわれるという問題が生じない。
【００４７】
＜Ｂ：第２実施形態＞
次に、本発明の第２実施形態について説明する。本実施形態においては、表示ユニット
１００に係わるハードウェアの構成が第１実施形態と異なる。
＜Ｂ−１：電子機器の構成＞
まず、本発明の第２実施形態に係わる電子機器の構成を説明する。なお、以下の説明に
おいて、第１実施形態と同じ部分については、同じ符号を付してその説明を省略する。
【００４８】
図７は、本実施形態の表示ユニット１００のハードウェア構成を例示するブロック図で
ある。図７に示したように、本実施形態においては、各駆動回路へ供給される画像データ
の供給元を切替えるスイッチの構成と、各スイッチを制御するスイッチ制御信号の構成が
第１実施形態と異なる。
【００４９】
スイッチ制御信号Ｓ１は、スイッチＳＷ０１，ＳＷ０３，ＳＷ１１，ＳＷ１３、および
スイッチＳＷ２１を制御するための信号である。制御部１０がスイッチ制御信号Ｓ１をＨ
レベルとすると、図７において実線で示したようにスイッチＳＷ０３はｔ−ｕ間を接続し
、スイッチＳＷ１３はｉ−ｋ間を接続する。また、スイッチＳＷ０１とスイッチＳＷ１１
は開状態となり、スイッチＳＷ２１は閉状態となる。制御部１０がスイッチ制御信号Ｓ１
をＬレベルとすると、スイッチＳＷ０３はｓ−ｕ間を接続し、スイッチＳＷ１３はｊ−ｋ
間を接続する。また、スイッチＳＷ０１とスイッチＳＷ１１は閉状態となり、スイッチＳ
Ｗ２１は開状態となる。
【００５０】
スイッチ制御信号Ｓ２は、スイッチＳＷ３３の制御を行うための信号である。制御部１
０がスイッチ制御信号Ｓ２をＨレベルとすると、スイッチＳＷ３３は図７において実線で
示されるようにｐ−ｒ間を接続し、制御部１０がスイッチ制御信号Ｓ２をＬレベルとする
と、スイッチＳＷ３３はｑ−ｒ間を接続する。
【００５１】
スイッチ制御信号Ｓ３は、スイッチＳＷ３１の制御を行うための信号である。制御部１
０がスイッチ制御信号Ｓ３をＨレベルとすると、スイッチＳＷ３１は図７において実線で
示されるようにａ−ｃ間を接続し、制御部１０がスイッチ制御信号Ｓ３をＬレベルとする
と、スイッチＳＷ３１はｂ−ｃ間を接続する。
【００５２】
スイッチ制御信号Ｓ４は、スイッチＳＷ３２の制御を行うための信号である。制御部１
０がスイッチ制御信号Ｓ４をＨレベルとすると、スイッチＳＷ３２はｍ−ｏ間を接続し、
制御部１０がスイッチ制御信号Ｓ３をＬレベルとすると、スイッチＳＷ３１はｎ−ｏ間を
接続する。
【００５３】
＜Ｂ−２：電子機器の動作＞
次に、図面を参照して本実施形態に係わる携帯電話機５００の動作について説明する。
＜カメラユニット５４０で得た画像を表示しない場合の動作＞
制御部１０は、撮影機能がオフであり、携帯電話機５００が開状態の場合、スイッチ制
御信号Ｓ１をＬレベルとする。スイッチ制御信号Ｓ１がＬレベルとなると、スイッチＳＷ
０１とスイッチＳＷ１１は閉状態となり、ＳＷ０３においてはｓ−ｕ間が接続され、スイ
ッチＳＷ１３においてはｊ−ｋ間が接続される。これにより、出力端子Ｐ１と第１ＲＡＭ
３１とが接続され、第１ＲＡＭ３１と第１駆動回路５１とが接続された状態となる。また
、出力端子Ｐ３と第２ＲＡＭ３２とが接続され、第２ＲＡＭ３２と第２駆動回路５２とが
接続された状態となる。また、ＳＷ２１は、開状態となり、出力端子Ｐ２は、第１ＲＡＭ
３１および第２ＲＡＭ３２のいずれにも接続されていない状態となる。
【００５４】
制御部１０は、第１実施形態と同様に、まず、書込み制御信号ＷＥ１と書込み制御信号
ＷＥ２をＨレベルにして第１ＲＡＭ３１と第２ＲＡＭ３２とを書込みを可能とし、書込み
クロックＣＫＷと共に、書込みアドレスカウンタの値を書込みアドレスＡＤＲＷとして出
力する。また制御部１０は、書込みクロックＣＫＷを出力する一方、書込みクロックＣＫ
Ｗと共に、出力端子Ｐ１から画像データＤ１を出力し、出力端子Ｐ３から画像データＤ２
を出力する。
【００５５】
ＳＷ０１が閉状態で、出力端子Ｐ１と第１ＲＡＭ３１とが接続された状態であるため、
出力端子Ｐ１から出力された画像データは、第１ＲＡＭ３１に書き込まれる。また、ＳＷ
１１が閉状態で、出力端子Ｐ３と第２ＲＡＭ３２が接続された状態であるため、出力端子
Ｐ３から出力された画像データは、第２ＲＡＭ３２に書き込まれる。
【００５６】
制御部１０は、所定の数の書込みクロックＣＫＷを出力すると、読出し制御信号ＲＥ１
と読出し制御信号ＲＥ２とをＨレベルにして第１ＲＡＭ３１と第２ＲＡＭ３２の読出しを
可能とし、読出しクロックＣＫＲと共に、読出しアドレスカウンタの値を読出しアドレス
ＡＤＲＷとして出力する。
【００５７】
第１ＲＡＭ３１は、読出しクロックＣＫＲと読出しアドレスＡＤＤＲとが供給されると
、読出しアドレスＡＤＤＲで特定される記憶領域に格納されている画像データを出力する
。ＳＷ０２が閉状態で、第１ＲＡＭ３１と第１駆動回路５１とが接続された状態であるた
め、第１ＲＡＭ３１から出力された画像データは、第１駆動回路５１に入力される。
また、第２ＲＡＭ３２は、読出しクロックＣＫＲと読出しアドレス信号ＡＤＤＲとが入
力されると、読出しアドレスＡＤＤＲで特定される記憶領域に格納されている画像データ
を出力する。ＳＷ１２においてはｉ−ｋ間が接続されており、第２ＲＡＭ３２と第２駆動
回路５２とが接続された状態であるため、第２ＲＡＭ３２から出力された画像データは、
第２駆動回路５２に入力される。
【００５８】
第１駆動回路５１は、第１ＲＡＭ３１から供給される画像データに基づいて、この画像
データが示す画像が表示されるように第１液晶表示パネル１０１を制御し、第２駆動回路
５２は、第２ＲＡＭ３２から供給される画像データに基づいて、この画像データが示す画
像が表示されるように第２液晶表示パネル１０２を制御する。なお、第１ＲＡＭ３１およ
び第２ＲＡＭ３２においては、第１実施形態と同様に、データの読出しは、書込みが開始
されてから時間Ｔａだけ遅れて開始される。このため、各ＲＡＭからのデータの読出しが
書込みを追い越すということがなく、表示品位が損なわれるという問題が生じない。なお
、書込みクロックＣＫＷと読出しクロックＣＫＲの周期は同じ周期であることが好ましい
が、時間Ｔａの時間が十分に取られている場合には、読出しが書込みを追い越さない範囲
で、書込みクロックＣＫＷと読出しクロックＣＫＲの周期を異ならせるようにしてもよい
。
【００５９】
＜カメラユニット５４０で得た画像を表示する場合の動作（１）＞
携帯電話機５００が閉状態で、撮影機能がオンとなると、制御部１０は、スイッチ制御
信号Ｓ１をＨレベルとする。スイッチ制御信号Ｓ１がＨレベルになると、スイッチＳＷ０
１とＳＷ１１が開状態となり、スイッチＳＷ２１が閉状態となる。これにより、出力端子
Ｐ１と第１ＲＡＭ３１との間、および出力端子Ｐ３と第２ＲＡＭ３２との間が非接続とな
り、出力端子Ｐ２とスイッチＳＷ３１とが接続された状態となる。また、スイッチ制御信
号Ｓ１がＨレベルとなると、スイッチＳＷ１３においてｉ−ｋ間が接続される。
また、制御部１０は、スイッチ制御信号Ｓ２をＬレベルとして、スイッチＳＷ３３のｑ
−ｒ間を接続させ、スイッチ制御信号Ｓ３をＬレベルとして、スイッチＳＷ３１のｂ−ｃ
間を接続させる。さらに制御部１０は、スイッチ制御信号Ｓ４をＬレベルとしてスイッチ
ＳＷ３２のｎ−ｏ間を接続させる。以上の制御により、出力端子Ｐ２は第１ＲＡＭ３１と
接続された状態となり、第２駆動回路５２は、第２ＲＡＭ３２と接続された状態となる。
【００６０】
制御部１０は、まず、図８に示したように書込み制御信号ＷＥ１をＨレベルにして第１
ＲＡＭ３１を書込みを可能とすると共に（時刻ｔ１５）、書込みアドレスカウンタをリセ
ットする。次に、制御部１０は、第１実施形態と同様に、書込みクロックＣＫＷと共に、
書込みアドレスカウンタの値を書込みアドレスＡＤＲＷとして出力する。また制御部１０
は、書込みクロックＣＫＷを出力する一方、書込みクロックＣＫＷと共に、カメラユニッ
ト５４０から出力された画像データＤ３のうち、書込みアドレスＡＤＲＷが示すアドレス
に対応した行の画像データを出力端子Ｐ２から出力する。
スイッチＳＷ３１においてはｂ−ｃ間が接続されているため、出力端子Ｐ２から出力さ
れた画像データは第１ＲＡＭ３１に書きこまれる。ここで、制御部１０は、カメラユニッ
ト５４０からの画像データＤ３の出力周期が１／１５［ｓｅｃ］であるため、１フレーム
分の画像データの出力周期を、これに合わせて１／１５［ｓｅｃ］とする。
【００６１】
制御部１０は、１フレーム分の画像データの書込みが終了すると、書込み制御信号ＷＥ
１をＬレベルとし（時刻ｔ１６）、第１ＲＡＭ３１に画像データが書き込まれるのを禁止
する。また、スイッチ制御信号Ｓ２をＨレベルとし、スイッチ制御信号Ｓ３をＨレベルと
する。これにより、スイッチＳＷ３１のａ−ｃ間が接続され、スイッチＳＷ３３のｐ−ｒ
間が接続される。次に、制御部１０は、書込み制御信号ＷＥ２をＨレベルにして第２ＲＡ
Ｍ３２を書込みを可能とし（時刻ｔ１７）、カメラユニット５４０から出力された画像デ
ータを、１／１５［ｓｅｃ］の周期で出力端子Ｐ２から出力する。スイッチＳＷ３１にお
いてはａ−ｃ間が接続されているため、出力端子Ｐ２から出力された画像データは第２Ｒ
ＡＭ３２に書きこまれる。
【００６２】
制御部１０は、画像データを第２ＲＡＭ３２に書込む一方、読出し制御信号ＲＥ１をＨ
レベルにして第１ＲＡＭ３１の読出しを可能とし（時刻ｔ１７）、読出しアドレスカウン
タをリセットする。そして、制御部１０は、読出しアドレスカウンタの値を読出しアドレ
スＡＤＲＲとし、読出しクロックＣＫＲと共に出力する。この読出しクロックＣＫＲと読
出しアドレスＡＤＤＲは、第１ＲＡＭ３１と第２ＲＡＭ３２とに供給される。ここで、制
御部１０は、画像データの読出し周期を１／６０［ｓｅｃ］とする。
第１ＲＡＭ３１は、読出しクロックＣＫＲと読出しアドレスＡＤＤＲとが供給されると
、読出しアドレスＡＤＤＲで特定される記憶領域に格納されている画像データを出力する
。画像データの読出し周期は１／６０［ｓｅｃ］であるため、図８に示したように第１Ｒ
ＡＭ３１からは、第２ＲＡＭ３２において画像データの書込みが開始されてから終了する
までの間に、記憶している画像データが４回出力される。なお、第２ＲＡＭ３２において
は、読出し制御信号ＲＥ２がＬレベルとなっているため、画像データの出力は行われない
。第１ＲＡＭ３１から出力された画像データは、スイッチＳＷ３２のｎ−ｏ間およびスイ
ッチＳＷ３３のｐ−ｒ間を介して、第２駆動回路５２に入力される。第２駆動回路５２は
、この供給された画像データに基づいて、この画像データが示す画像が表示されるように
第２液晶表示パネル１０２を制御する。
【００６３】
制御部１０は、１フレーム分の画像データの書込みが終了すると、書込み制御信号ＷＥ
２をＬレベルとし（時刻ｔ１８）、第２ＲＡＭ３２に画像データが書き込まれるのを禁止
する。また、制御部１０は、スイッチ制御信号Ｓ２をＬレベルとし、スイッチ制御信号Ｓ
３をＬレベルとする。これにより、ＳＷ３１のｂ−ｃ間が再度接続され、スイッチＳＷ３
３のｑ−ｒ間が再度接続された状態となる。
【００６４】
次に、制御部１０は、書込み制御信号ＷＥ１をＨレベルにして第１ＲＡＭ３１を書込み
を可能とし（時刻ｔ１９）、カメラユニット５４０から出力された画像データを、１／１
５［ｓｅｃ］の周期で出力端子Ｐ２から出力する。スイッチＳＷ３１においてはｂ−ｃ間
が接続されているため、出力端子Ｐ２から出力された画像データは第１ＲＡＭ３１に書き
こまれる。
【００６５】
制御部１０は、画像データを第１ＲＡＭ３１に書込む一方、読出し制御信号ＲＥ２をＨ
レベルにして第２ＲＡＭ３２の読出しを可能とし（時刻ｔ１９）、読出しアドレスカウン
タをリセットする。そして、制御部１０は、読出しアドレスカウンタの値を読出しアドレ
スＡＤＲＲとし、読出しクロックＣＫＲと共に出力する。この読出しクロックＣＫＲと読
出しアドレスＡＤＤＲは、第１ＲＡＭ３１と第２ＲＡＭ３２とに供給される。
第２ＲＡＭ３２は、読出しクロックＣＫＲと読出しアドレスＡＤＤＲとが供給されると
、読出しアドレスＡＤＤＲで特定される記憶領域に格納されている画像データを出力する
。画像データの読出し周期は１／６０［ｓｅｃ］であるため、図８に示したように第２Ｒ
ＡＭ３２からは、第１ＲＡＭ３１において画像データの書込みが開始されてから終了する
までの間に、記憶している画像データが４回出力される。第２ＲＡＭ３２から出力された
画像データは、スイッチＳＷ３３のｑ−ｒ間およびスイッチＳＷ１３のｉ−ｋ間を介して
、第２駆動回路５２に入力される。第２駆動回路５２は、この供給された画像データに基
づいて、この画像データが示す画像が表示されるように第２液晶表示パネル１０２を制御
する。なお、第１ＲＡＭ３１においては、読出し制御信号ＲＥ１がＬレベルとなっている
ため、画像データの出力は行われない。
以下、制御部１０は、上述した動作を繰り返し、スイッチ制御信号Ｓ２とスイッチ制御
信号Ｓ３のレベルを交互に切替えることにより、スイッチＳＷ３１とスイッチＳＷ３３の
接続先を切替え、１フレーム分の画像データを出力する毎に、画像データの書込み先と、
画像データの読出し元を、１フレーム毎に切替える。
【００６６】
以上説明したように、画像データを第１ＲＡＭ３１または第２ＲＡＭ３２へ書き込む際
の書込み周期は、カメラユニット５４０からの画像データの出力周期に応じて、画像デー
タの読出しの周期より遅くなっているが、画像データをＲＡＭに書き込んでいる最中には
、もう一方のＲＡＭに書き込まれた画像データを読出して、画像表示が行われる。このた
め、画像データの書込み中に画像データの読出しが行われることがなく、画像の表示品位
が損なわれるという問題が生じない。
【００６７】
＜カメラユニット５４０で得た画像を表示する場合の動作（２）＞
次に、図１０に示したように、第１液晶表示パネル１０１においては、画面の一部分の
み表示を行い、第２液晶表示パネル１０２においては、カメラユニット５４０で得た画像
の表示を行う場合の動作について説明する。
【００６８】
携帯電話機５００が開状態で、撮影機能がオンとなると、制御部１０は、スイッチ制御
信号Ｓ１をＨレベルとする。スイッチ制御信号Ｓ１がＨレベルになると、スイッチＳＷ０
１とＳＷ１１が開状態となり、スイッチＳＷ２１が閉状態となる。これにより、出力端子
Ｐ１と第１ＲＡＭ３１との間、および出力端子Ｐ３と第２ＲＡＭ３２との間が非接続とな
り、出力端子Ｐ２とスイッチＳＷ３１とが接続された状態となる。また、スイッチ制御信
号Ｓ１がＨレベルとなると、スイッチＳＷ１３においてｉ−ｋ間が接続される。
また、制御部１０は、スイッチ制御信号Ｓ２をＬレベルとして、スイッチＳＷ３３のｑ
−ｒ間を接続させ、スイッチ制御信号Ｓ３をＬレベルとして、スイッチＳＷ３１のｂ−ｃ
間を接続させる。さらに制御部１０は、スイッチ制御信号Ｓ４をＬレベルとしてスイッチ
ＳＷ３２のｎ−ｏ間を接続させる。以上の制御により、出力端子Ｐ２は第１ＲＡＭ３１と
接続された状態となり、第２駆動回路５２は、第２ＲＡＭ３２と接続された状態となる。
【００６９】
制御部１０は、まず、図９に示したように、書込み制御信号ＷＥ１をＨレベルにして第
１ＲＡＭ３１を書込みを可能とすると共に（時刻ｔ２０）、書込みアドレスカウンタをリ
セットする。次に、制御部１０は、書込みクロックＣＫＷと共に、書込みアドレスカウン
タの値を書込みアドレスＡＤＲＷとして出力する。
また制御部１０は、書込みクロックＣＫＷを出力する一方、書込みクロックＣＫＷ共に
、第１液晶表示パネル１０１に表示させる画像を示す画像データＤ１−１と、カメラユニ
ット５４０から出力された画像データＤ３−１とを出力端子Ｐ２から出力する。具体的に
は、制御部１０は、画像データを出力する際、所定の書込みアドレス（以下、このアドレ
スをアドレスＡＤＤＣと表記する）までは画像データＤ１−１を出力端子Ｐ２から出力し
（時刻ｔ２０〜ｔ２１）、所定の書込みアドレス以降は（時刻ｔ２１〜ｔ２２）、画像デ
ータＤ３−１を出力端子Ｐ２から出力する。スイッチＳＷ３１においてはｂ−ｃ間が接続
されているため、出力端子Ｐ２から出力された画像データは第１ＲＡＭ３１に書きこまれ
る。ここで、制御部１０は、出力端子Ｐ２からの画像データの出力周期を１／１５［ｓｅ
ｃ］とする。
【００７０】
制御部１０は、１フレーム分の画像データの書込みが終了すると、書込み制御信号ＷＥ
１をＬレベルとし（時刻ｔ２２）、第１ＲＡＭ３１に画像データが書き込まれるのを禁止
する。また、スイッチ制御信号Ｓ２をＨレベルとし、スイッチ制御信号Ｓ３をＨレベルと
する。これにより、スイッチＳＷ３１のａ−ｃ間が接続され、スイッチＳＷ３３のｐ−ｒ
間が接続される。次に、制御部１０は、書込み制御信号ＷＥ２をＨレベルにして第２ＲＡ
Ｍ３２を書込みを可能とし（時刻ｔ２３）、カメラユニット５４０から出力された画像デ
ータＤ３−２を、１／１５［ｓｅｃ］の周期で出力端子Ｐ２から出力する。スイッチＳＷ
３１においてはａ−ｃ間が接続されているため、出力端子Ｐ２から出力された画像データ
は第２ＲＡＭ３２に書きこまれる。
【００７１】
制御部１０は、画像データＤ３−２を第２ＲＡＭ３２に書込む一方、読出し制御信号Ｒ
Ｅ１をＨレベルにして第１ＲＡＭ３１の読出しを可能とし（時刻ｔ２３）、読出しアドレ
スカウンタをリセットする。そして、制御部１０は、読出しアドレスカウンタの値を読出
しアドレスＡＤＲＲとし、読出しクロックＣＫＲと共に出力する。この読出しクロックＣ
ＫＲと読出しアドレスＡＤＤＲは、第１ＲＡＭ３１に第２ＲＡＭ３２とに供給される。こ
こで、制御部１０は、画像データの読出し周期を１／６０［ｓｅｃ］とする。
第１ＲＡＭ３１は、読出しクロックＣＫＲと読出しアドレスＡＤＤＲとが供給されると
、読出しアドレスＡＤＤＲで特定される記憶領域に格納されている画像データを出力する
。制御部１０は、読出しクロックＣＫＲを供給する際、読出しアドレスカウンタの値がア
ドレスＡＤＤＣと一致するまでの間は（時刻ｔ２３〜ｔ２４）、スイッチ制御信号Ｓ４を
Ｈレベルとし、スイッチＳＷ３２のｍ−ｏ間を接続させる。これにより、読出しアドレス
カウンタの値がアドレスＡＤＤＣと一致するまでの間に読出されるデータ、即ち画像デー
タＤ１−１は、スイッチＳＷ０３のｔ−ｕ間を介して第１駆動回路５１へ供給される。第
１駆動回路５１は、この供給された画像データＤ１−１に基づいて、この画像データが示
す画像が表示されるように第１液晶表示パネル１０１を制御する。
【００７２】
制御部１０は、読出しアドレスカウンタの値がアドレスＡＤＤＣと一致した以降は（時
刻ｔ２４〜ｔ２５）、スイッチ制御信号Ｓ４をＬレベルとし、スイッチＳＷ３２のｎ−ｏ
間を接続させる。これにより、読出しアドレスカウンタの値がアドレスＡＤＤＣと一致し
た以降に読出されるデータ、即ち画像データＤ３−１は、スイッチＳＷ３３のｐ−ｒ間お
よびスイッチＳＷ１３のｉ−ｋ間を介して第２駆動回路５２へ供給される。なお、画像デ
ータの読出し周期は１／６０［ｓｅｃ］であるため、図９に示したように第１ＲＡＭ３１
からは、第２ＲＡＭ３２において画像データの書込みが開始されてから終了するまでの間
に、記憶している画像データが４回出力される。第２駆動回路５２は、この供給された画
像データＤ３−１に基づいて、この画像データが示す画像が表示されるように第２液晶表
示パネル１０２を制御する。
【００７３】
制御部１０は、１フレーム分の画像データの書込みが終了すると、書込み制御信号ＷＥ
２をＬレベルとし（時刻ｔ２６）、第２ＲＡＭ３２に画像データが書き込まれるのを禁止
する。また、制御部１０は、スイッチ制御信号Ｓ２をＬレベルとし、スイッチ制御信号Ｓ
３をＬレベルとする。これにより、ＳＷ３１のｂ−ｃ間が再度接続され、スイッチＳＷ３
３のｑ−ｒ間が再度接続された状態となる。
【００７４】
次に、制御部１０は、書込み制御信号ＷＥ１をＨレベルにして第１ＲＡＭ３１を書込み
を可能とし（時刻ｔ２７）、所定の書込みアドレスまでは画像データＤ１−３を出力端子
Ｐ２から出力し、所定の書込みアドレス以降は画像データＤ３−３を出力端子Ｐ２から出
力する。スイッチＳＷ３１においてはｂ−ｃ間が接続されているため、出力端子Ｐ２から
出力された画像データは第１ＲＡＭ３１に書きこまれる。
【００７５】
制御部１０は、画像データを第１ＲＡＭ３１に書込む一方、読出し制御信号ＲＥ１と読
出し制御信号ＲＥ２とをＨレベルにして、第１ＲＡＭ３１と第２ＲＡＭ３２の読出しを可
能とし（時刻ｔ２７）、読出しアドレスカウンタをリセットする。そして、制御部１０は
、読出しアドレスカウンタの値を読出しアドレスＡＤＲＲとし、読出しクロックＣＫＲと
共に出力する。この読出しクロックＣＫＲと読出しアドレスＡＤＤＲは、第１ＲＡＭ３１
と第２ＲＡＭ３２に供給される。
制御部１０は、読出しクロックＣＫＲを供給する際、読出しアドレスカウンタの値がア
ドレスＡＤＤＣと一致するまでの間は（時刻ｔ２７〜ｔ２８）、スイッチ制御信号Ｓ４を
Ｈレベルとし、スイッチＳＷ３２のｍ−ｏ間を接続させる。これにより、読出しアドレス
カウンタの値がアドレスＡＤＤＣと一致するまでの間に第１ＲＡＭ３１から読出されるデ
ータ、即ち画像データＤ１−１は、スイッチＳＷ０２のｔ−ｕ間を介して第１駆動回路５
１へ供給される。第１駆動回路５１は、この供給された画像データに基づいて、この画像
データが示す画像が表示されるように第１液晶表示パネル１０１を制御する。
制御部１０は、読出しアドレスカウンタの値がアドレスＡＤＤＣと一致した以降は（時
刻ｔ２８〜ｔ２９）、スイッチ制御信号Ｓ４をＬレベルとし、スイッチＳＷ３２のｎ−ｏ
間を接続させる。これにより、読出しアドレスカウンタの値がアドレスＡＤＤＣと一致し
た以降に第１ＲＡＭ３１から読出されるデータ、即ち画像データＤ３−１は、スイッチＳ
Ｗ３３の端子ｐへ供給される。ここで、スイッチＳＷ３３のｐ−ｒ間は接続されていない
ため、読出された画像データＤ３は、いずれの駆動回路にも供給されない。
【００７６】
一方、第２ＲＡＭ３２は、読出しクロックＣＫＲと読出しアドレスＡＤＤＲとが供給さ
れると、読出しアドレスＡＤＤＲで特定される記憶領域に格納されている画像データＤ３
−２を出力する。画像データの読出し周期は１／６０［ｓｅｃ］であるため、図９に示し
たように第２ＲＡＭ３２からは、第１ＲＡＭ３１において画像データの書込みが開始され
てから終了するまでの間に、記憶している画像データが４回出力される。第２ＲＡＭ３２
から出力された画像データは、スイッチＳＷ３３のｑ−ｒ間およびスイッチＳＷ１３のｉ
−ｋ間を介して、第２駆動回路５２に入力される。第２駆動回路５２は、この供給された
画像データに基づいて、この画像データが示す画像が表示されるように第２液晶表示パネ
ル１０２を制御する。
以下、制御部１０は、上述した動作を繰り返し、書込み制御信号と、読出し制御信号と
、スイッチ制御信号Ｓ２〜Ｓ４のレベルを切替え、１フレーム分の画像データを出力する
毎に、画像データの書込み先と、画像データの読出し元を切替える。
【００７７】
以上説明したように、画像データを第１ＲＡＭ３１または第２ＲＡＭ３２へ書き込む際
の書込み周期は、カメラユニット５４０からの画像データの出力周期に応じて、画像デー
タの読出しの周期より遅くなっているが、画像データをＲＡＭに書き込んでいる最中には
、もう一方のＲＡＭに書き込まれた画像データを読出して、画像表示が行われる。このた
め、画像データの書込み中に画像データの読出しが行われることがなく、画像の表示品位
が損なわれるという問題が生じない。
【００７８】
＜Ｃ：変形例＞
上述した実施形態においては、電気光学パネルとして液晶表示パネルを採用した表示ユ
ニットを例示したが、その他の電気光学パネルを採用することもできる。すなわち、本発
明においては、電気光学物質として有機ＥＬ（Electro Luminescent）素子を用いたＥＬ
パネルや、電気光学物質としてヘリウムやネオンなどの高圧ガスを用いたＰＤＰ（Plasma
Display Pnael）、あるいは電気光学物質として蛍光体を用いたＦＥＤ（Field Emisson 
Display）などを電気光学パネルとして利用することができる。このように、本発明にお
ける「電気光学パネル」とは、電気的な作用によって電気光学物質の光学的特性が変化す
ることを利用して画像の表示を行う全ての装置を含む概念である。
【００７９】
上述した実施形態においては、第１ＲＡＭ３１と第２ＲＡＭ３２と２つのＲＡＭを設け
ているが、一つのＲＡＭを第１ＲＡＭ３１に相当する領域と、第２ＲＡＭ３２に相当する
領域とに分けて、ＲＡＭを２つ有する場合と同様に画像データの書込みおよび読出しを行
うようにしてもよい。
【００８０】
上述した実施形態において、カメラユニット５４０は、１秒間に１５フレーム分の画像
データを制御部１０へ出力しているが、カメラユニット５４０が画像データを出力する周
期は、この周期に限定されるものではない。また、制御部１０は、カメラユニット５４０
から供給された画像データを第１ＲＡＭ３１または第２ＲＡＭ３２へ書き込む際の周期を
１／１５［ｓｅｃ］としているが、画像データの書込み周期は、この周期に限定されるも
のではない。また、制御部１０は、第１ＲＡＭ３１および第２ＲＡＭ３２からデータを読
出す周期を１／６０［ｓｅｃ］としているが、画像データの読出し周期は、この周期に限
定されるものではない。このように書込みの周期と読出しの周期が異なっても、画像デー
タの読出し周期が、画像データの書込み周期より早い場合には、同様の構成を取ることが
できる。
【００８１】
上述した第２実施形態において、第１液晶表示パネル１０１の上部に画像を表示させ、
第２液晶表示パネル１０２にカメラユニット５４０で得た画像を表示するようにしている
が、第１液晶表示パネル１０１の上部と下部とに画像を表示させるようにしてもよい。こ
の場合、制御部１０は、まず画像データＤ１を出力した後、画像データＤ３を出力し、こ
の後、再度画像データＤ１を出力して、画像データを第１ＲＡＭ３１に書き込む。これら
の画像データを読出す際には、制御部１０は、スイッチ制御信号Ｓ４をＨレベル、Ｌレベ
ル、Ｈレベルと切替えることにより、画像データＤ１を第１駆動回路５１へ供給し、画像
データＤ３を第２駆動回路５２へ供給する。
【００８２】
本発明に係る電気光学装置が表示装置として利用され得る電子機器としては、携帯電話
機のほかにも、デジタルスチルカメラや、ノートパソコン、液晶テレビ、ビューファイン
ダ型（またはモニタ直視型）のビデオレコーダ、カーナビゲーション装置、ページャ、電
子手帳、電卓、ワードプロセッサ、ワークステーション、テレビ電話、ＰＯＳ端末、タッ
チパネルを備えた機器等などが挙げられる。
【図面の簡単な説明】
【００８３】
【図１】本発明の第１実施形態に係る携帯電話機の構成を示す断面図である。
【図２】同携帯電話機が折り畳まれた時の構成を示す斜視図である。
【図３】同実施形態に係わる表示ユニットの構成を示す断面図である。
【図４】同表示ユニットに係わるハードウェアの構成を示すブロック図である。
【図５】同ハードウェアの動作を説明するためのタイミングチャートである。
【図６】同ハードウェアの動作を説明するためのタイミングチャートである。
【図７】本発明の第２実施形態に係わるハードウェアの構成を示すブロック図である。
【図８】同ハードウェアの動作を説明するためのタイミングチャートである。
【図９】同ハードウェアの動作を説明するためのタイミングチャートである。
【図１０】同表示ユニットに表示される画像を例示する図である。
【符号の説明】
【００８４】
１０・・・制御部、３１・・・第１ＲＡＭ、３２・・・第２ＲＡＭ、５１・・・第１駆
動回路、５２・・・第２駆動回路、１０１・・・第１液晶表示パネル、１０２・・・第２
液晶表示パネル、５４０・・・カメラユニット、ＳＷ０１，ＳＷ０２，ＳＷ０３，ＳＷ１
１，ＳＷ１２，ＳＷ１３，ＳＷ２１，ＳＷ３１，ＳＷ３２，ＳＷ３３・・・スイッチ。
【図１】
2005196032.tif 000003
【図２】
2005196032.tif 000004
【図３】
2005196032.tif 000005
【図４】
2005196032.tif 000006
【図５】
2005196032.tif 000007
【図６】
2005196032.tif 000008
【図７】
2005196032.tif 000009
【図８】
2005196032.tif 000010
【図９】
2005196032.tif 000011
【図１０】
2005196032.tif 000012